(57)【要約】【課題】日除け装置全体が風に煽られ、或いは各板状体が風により揺動するおそれがないようにする。【解決手段】建物２０における窓２０ａの外側に多数枚の板状体１を相互に平行に、かつ、長さ方向において水平になるように、上下方向に間隔を置いて配設し、各板状体における相対向する幅方向の縁部１ａ、１ｂを一対の上下方向の角度調節紐３ａ、３ｂにそれぞれ固定し、該角度調節紐を上下動させることにより各板状体の幅方向の角度を調節することができるようになし、各板状体における幅方向の略中央部５には昇降紐７と固定紐９とを貫通させ、該昇降紐の下端を最下の板状体１’に固定し、該昇降紐を上下動させることにより全板状体を昇降させることができるようになし、該固定紐の上端と下端とをそれぞれ該建物に固定することにより日除け装置が風に煽られることがないようになす。【選択図】図１
2014152567.tif 000002
【特許請求の範囲】
【請求項１】
建物における窓の外側に多数枚の板状体を相互に平行に、かつ、長さ方向において水平になるように、上下方向に間隔を置いて配設してなる日除け装置において、
各板状体における相対向する幅方向の縁部を一対の上下方向の角度調節紐にそれぞれ固定し、該角度調節紐を上下動させることにより各板状体の幅方向の角度を調節することができるようになし、
各板状体における幅方向の略中央部には昇降紐と固定紐とを貫通させ、
該昇降紐の下端を最下の板状体に固定し、該昇降紐を上下動させることにより全板状体を昇降させることができるようになし、
該固定紐の上端と下端とをそれぞれ該建物に固定することにより日除け装置が風に煽られることがないようにしたことを特徴とする日除け装置。
【請求項２】
前記各板状体における幅方向の略中央部には透孔を形成し、該透孔に前記昇降紐と前記固定紐とを挿通させたことを特徴とする請求項１に記載の日除け装置。
【請求項３】
前記固定紐の上端と下端とをそれぞれ取付具を介して該建物の外壁又は該建物の窓に固定したことを特徴とする請求項１又は２に記載の日除け装置。
【発明の詳細な説明】
【技術分野】
【０００１】
本発明は、建物における窓の外側に取り付けられる日除け装置に関するものである。
【背景技術】
【０００２】
建物における窓の外側に取り付けられる日除け装置としては、竹、葦等の多数本の棒状体を相互に平行に編み重ねてなるすだれが従来より広く使用されている。
【０００３】
なお、建物における窓の内側に取り付けられる日除け装置としては、多数のスラットを相互に平行に、かつ、長さ方向において水平になるように、上下方向に間隔を置いて配設してなるブラインドも従来より広く使用されている。
【発明の概要】
【発明が解決しようとする課題】
【０００４】
上記従来のすだれは、好ましい遮熱効果を有するものではあるが、通風性、耐久性等の面で劣り、採光量の調整が不能であり、更にすだれ全体が風に煽られる等の欠点がある。
【０００５】
一方、上記従来のブラインドは、専ら建物における窓の内側に取り付けられるものである。すなわち、上記従来のブラインドは、ブラインド全体を建物に固定する手段を備えておらず、かつ、各スラットの位置を確実に固定する手段を備えていないため、該ブラインドを建物における窓の外側に取り付けたときには、ブラインド全体が風に煽られるだけでなく、各スラットが風により揺動するのである。
【０００６】
本発明は、上記従来の日除け装置における上述の如き問題を解決し、遮熱効果、通風性、耐久性等の面で優れ、採光量の調整が可能であり、日除け装置全体が風に煽られ、或いは各板状体が風により揺動するおそれがないようにした、建物における窓の外側に取り付けられる日除け装置を提供しようとしてなされたものである。
【課題を解決するための手段】
【０００７】
上記課題を解決するために、本発明は、下記の日除け装置を提供するものである。
【０００８】
（１）建物における窓の外側に多数枚の板状体を相互に平行に、かつ、長さ方向において水平になるように、上下方向に間隔を置いて配設してなる日除け装置において、
各板状体における相対向する幅方向の縁部を一対の上下方向の角度調節紐にそれぞれ固定し、該角度調節紐を上下動させることにより各板状体の幅方向の角度を調節することができるようになし、
各板状体における幅方向の略中央部には昇降紐と固定紐とを貫通させ、
該昇降紐の下端を最下の板状体に固定し、該昇降紐を上下動させることにより全板状体を昇降させることができるようになし、
該固定紐の上端と下端とをそれぞれ該建物に固定することにより日除け装置が風に煽られることがないようにしたことを特徴とする日除け装置（請求項１）。
【０００９】
（２）前記各板状体における幅方向の略中央部には透孔を形成し、該透孔に前記昇降紐と前記固定紐とを挿通させる（請求項２）。
【００１０】
（３）前記固定紐の上端と下端とをそれぞれ取付具を介して該建物の外壁又は該建物の窓に固定する（請求項３）。
【発明の効果】
【００１１】
本発明による日除け装置は、下記の如き優れた効果を発揮する。
【００１２】
本発明による日除け装置は、建物における窓の外側に取り付けられるものであるが、各板状体における幅方向の略中央部には固定紐を貫通させ、該固定紐の上端と下端とをそれぞれ該建物に固定しているため、日除け装置全体が建物に確実に固定され、日除け装置全体が風に煽られるおそれがない。また、各板状体における相対向する幅方向の縁部を一対の上下方向の角度調節紐にそれぞれ固定しているため、各板状体が風により揺動するおそれがない。したがって、本発明による日除け装置は、建物における窓の外側に取り付けられるものであるにもかかわらず、風による悪影響を受けるおそれがない。
【００１３】
本発明による日除け装置は、従来のすだれと同様に、建物における窓の外側に取り付けられるものであるため、優れた遮熱効果を発揮する。因みに、従来のブラインドは、建物における窓の内側に取り付けられるため、充分な遮熱効果を発揮し得ない。
【００１４】
本発明による日除け装置においては、多数枚の板状体を相互に平行に、かつ、長さ方向において水平になるように、上下方向に間隔を置いて配設しているため、この日除け装置は通風性、耐久性等の面で優れている。また、角度調節紐を上下動させることにより各板状体の幅方向の角度を調節することができるため、採光量の調整が可能である。
【００１５】
更に、各板状体における幅方向の略中央部に貫通させた昇降紐の下端を最下の板状体に固定し、該昇降紐を上下動させることにより全板状体を昇降させることができるため、日除け装置の不要時には、全板状体を上昇させることにより、建物内からは窓の前方に日除け装置が見えない状態にすることができる。
【図面の簡単な説明】
【００１６】
【図１】図１は、本発明による日除け装置の側面図である。
【図２】図２は、板状体の平面図である。
【図３】図３は、最下の板状体以外の板状体を示す断面図である。
【図４】図４は、最下の板状体の断面図である。
【発明を実施するための形態】
【００１７】
本発明による日除け装置は、建物２０における窓２０ａの外側に取り付けられるものである。すなわち、本発明による日除け装置は、建物２０における窓２０ａの外側に多数枚の板状体１、１・・・を相互に平行に、かつ、長さ方向において水平になるように、上下方向に間隔を置いて配設してなるものである。
【００１８】
各板状体１における相対向する幅方向の縁部１ａ、１ｂを一対の上下方向の角度調節紐３ａ、３ｂにそれぞれ固定し、該角度調節紐３ａ、３ｂを上下動させることにより各板状体１の幅方向の角度を調節することができるようになす。すなわち、該角度調節紐３ａ、３ｂの一方を上方に、他方を下方に動かすことにより、各板状体１を図１の矢印方向に傾動させることができるようになす。各板状体１における相対向する幅方向の縁部１ａ、１ｂは、各角度調節紐３ａ、３ｂに確実に固定（符号４参照）する。図示の事例においては、角度調節紐３ａ、３ｂは各板状体１の幅方向の縁部１ａ、１ｂにおける二か所に固定している。
【００１９】
各板状体１における幅方向の略中央部５には昇降紐７と固定紐９とを貫通させる。すなわち、一例として、各板状体１における幅方向の略中央部５には透孔１１を形成し、該透孔１１に該昇降紐７と固定紐９とを挿通させる。図示の事例においては、透孔１１は各板状体１の幅方向の略中央部５における二か所に形成し、各透孔１１に該昇降紐７と固定紐９とを挿通させている。
【００２０】
該昇降紐７の下端を最下の板状体１’に固定（符号６参照）し、該昇降紐７を上下動させることにより全板状体１、１・・・を昇降させることができるようになす。
【００２１】
前記固定紐９の上端９ａと下端９ｂとをそれぞれ建物２０に固定することにより日除け装置が風に煽られることがないようになす。すなわち、一例として図１に示すように、該固定紐９の上端９ａと下端９ｂとをそれぞれ取付具１３、１５を介して該建物２０の外壁２０ｂ又は該建物２０の窓２０ａに固定する。
【符号の説明】
【００２２】
１  板状体
１ａ  縁部
１ｂ  縁部
１’  最下の板状体
３ａ  角度調節紐
３ｂ  角度調節紐
５  略中央部
７  昇降紐
９  固定紐
９ａ  上端
９ｂ  下端
１１  透孔
１３  取付具
１５  取付具
２０  建物
２０ａ  窓
２０ｂ  外壁
【図１】
2014152567.tif 000003
【図２】
2014152567.tif 000004
【図３】
2014152567.tif 000005
【図４】
2014152567.tif 000006